(57)【特許請求の範囲】
【請求項１】
第１の集積回路と、
第２の集積回路とを備え、
前記第１の集積回路は、
基準電流に応じて参照電流を生成し、参照電流用伝送路を介して前記第２の集積回路に出力するカレントミラー回路と、
前記第２の集積回路が出力する帰還電流に基づいて、電流駆動型の素子を駆動する電流を生成して出力する第１の電流駆動回路とを有するものであり、
前記第２の集積回路は、
前記参照電流に応じて前記帰還電流を生成し、帰還電流用伝送路を介して前記第１の集積回路に出力するとともに、前記参照電流に応じて駆動回路用電流を生成し、出力するカレントミラー部と、
前記帰還電流用伝送路の抵抗値に等しい抵抗値を有する外部抵抗を介して、前記駆動回路用電流を入力とし、前記駆動回路用電流に基づいて、電流駆動型の素子を駆動する電流を生成して出力する第２の電流駆動回路とを有するものである
電流駆動装置。
【請求項２】
第１の集積回路と、
第２の集積回路とを備え、
前記第１の集積回路は、
基準電流に応じて参照電流を生成し、参照電流用伝送路を介して前記第２の集積回路に出力するとともに、前記基準電流に等しい電流を生成して出力するカレントミラー回路と、
前記カレントミラー回路が出力する、前記基準電流に等しい電流と、前記第２の集積回路が出力する帰還電流とを平均した大きさの平均電流を求めて出力する電流演算手段と、
前記平均電流に基づいて、電流駆動型の素子を駆動する電流を生成して出力する第１の電流駆動回路とを有するものであり、
前記第２の集積回路は、
前記参照電流に応じて前記帰還電流を生成し、帰還電流用伝送路を介して前記第１の集積回路に出力するとともに、前記参照電流に応じて駆動回路用電流を生成し、出力するカレントミラー部と、
前記駆動回路用電流に基づいて、電流駆動型の素子を駆動する電流を生成して出力する第２の電流駆動回路とを有するものである
電流駆動装置。
【請求項３】
第１の集積回路と、
第２の集積回路とを備え、
前記第１の集積回路は、
基準電流に応じて参照電流を生成し、参照電流用伝送路を介して前記第２の集積回路に出力するとともに、前記基準電流に等しい電流を生成して出力するカレントミラー回路と、
前記カレントミラー回路が出力する、前記基準電流に等しい電流と、前記第２の集積回路が出力する帰還電流とを平均した大きさの平均電流を求めて出力するとともに、その入力における電圧を一定に保つ定電圧電流演算手段と、
前記平均電流に基づいて、電流駆動型の素子を駆動する電流を生成して出力する電流駆動回路とを有するものであり、
前記第２の集積回路は、
前記参照電流に応じて前記帰還電流を生成し、帰還電流用伝送路を介して前記第１の集積回路に出力するとともに、前記参照電流に応じて駆動回路用電流を生成し、出力するカレントミラー部と、
前記駆動回路用電流に基づいて、電流駆動型の素子を駆動する電流を生成して出力する電流駆動回路とを有するものである
電流駆動装置。
【請求項４】
第１、第２及び第３の集積回路を備え、
前記第１の集積回路は、
基準電流に応じて第１の参照電流を生成し、第１の参照電流用伝送路を介して前記第２の集積回路に出力するとともに、前記基準電流に等しい電流を生成して出力する第１のカレントミラー部と、
前記第２の集積回路が出力する第１の帰還電流に等しい電流を生成して出力する第２のカレントミラー部と、
前記基準電流に等しい電流と前記第１の帰還電流に等しい電流とを平均した大きさの第１の平均電流を求めて出力する第１の電流演算手段と、
前記第１の平均電流に基づいて、電流駆動型の素子を駆動する電流を生成して出力する第１の電流駆動回路とを有するものであり、
前記第２の集積回路は、
前記第１の参照電流に応じて第２の参照電流を生成し、第２の参照電流用伝送路を介して第３の集積回路に出力するとともに、前記第１の参照電流に等しい電流を生成して出力する第３のカレントミラー部と、
前記第３の集積回路が出力する第２の帰還電流に応じて前記第１の帰還電流を生成し、第１の帰還電流用伝送路を介して前記第１の集積回路に出力するとともに、前記第２の帰還電流に等しい電流を生成して出力する第４のカレントミラー部と、
前記第１の参照電流に等しい電流と前記第２の帰還電流に等しい電流とを平均した大きさの第２の平均電流を求めて出力する第２の電流演算手段と、
前記第２の平均電流に基づいて、電流駆動型の素子を駆動する電流を生成して出力する第２の電流駆動回路とを有するものであり、
前記第３の集積回路は、
前記第２の参照電流に応じて第３の参照電流を生成するとともに、前記第２の参照電流に等しい電流を生成して出力する第５のカレントミラー部と、
前記第３の参照電流に応じて前記第２の帰還電流を生成し、第２の帰還電流用伝送路を介して前記第２の集積回路に出力するとともに、前記第３の参照電流に等しい電流を生成して出力する第６のカレントミラー部と、
前記第２の参照電流に等しい電流と前記第３の参照電流に等しい電流とを平均した大きさの第３の平均電流を求めて出力する第３の電流演算手段と、
前記第３の平均電流に基づいて、電流駆動型の素子を駆動する電流を生成して出力する第３の電流駆動回路とを有するものである
電流駆動装置。
【発明の詳細な説明】
【０００１】
【発明の属する技術分野】
本発明は、電流駆動型の素子を駆動する電流駆動装置に関する。
【０００２】
【従来の技術】
近年、フラットパネルディスプレイの小型化、薄型化、軽量化が行われている。特に、自らが発光する有機ＥＬ（electro-luminescent）素子や発光ダイオード等の発光素子を用いた表示装置では、バックライト装置が不要であるので、液晶を用いた表示装置よりも薄型化、軽量化が可能となる。
【０００３】
有機ＥＬ素子や発光ダイオード等の発光素子は、与えられる電流の量によって輝度が変動するものであり、これらの素子を駆動するためには定電流源を備えた電流駆動装置が必要である。電流駆動装置は、複数の定電流源を備え、発光素子が持つべき輝度を表す階調データに応じて、動作する定電流源の数を変更して、出力電流の大きさを変更する。すると、階調データに応じた輝度で表示を行うことが可能となる。
【０００４】
このような電流駆動装置は、表示装置が小型の場合は、単一の半導体集積回路に集積化されるが、表示装置のパネルサイズが大きくなり、画素数が多くなると、複数の集積回路が必要となる。
【０００５】
図９は、従来の電流駆動装置を備えた表示装置の構成の例を示す回路図である。図９の電流駆動装置は、第１及び第２の集積回路９００，９５０とを備えている。図９の表示装置は、この電流駆動装置に加えて、発光素子としての有機ＥＬ素子がマトリクス状に配置された表示パネル９４０と、表示パネル９４０の走査線を制御する走査線駆動回路９４２とを備えている。第１及び第２の集積回路９００，９５０は、表示パネル９４０を駆動する。
【０００６】
第１の集積回路９００は、電流駆動回路９０２と、基準電流源９１１と、ｐ形トランジスタ９１２，９１３，９１４とを備えている。ｐ形トランジスタ９１２〜９１４は、形状及びサイズがほぼ同じであり、カレントミラー回路を構成している。第２の集積回路９５０は、電流駆動回路９５２と、ｎ形トランジスタ９６１，９６２と、ｐ形トランジスタ９６３，９６５とを備えている。ｎ形トランジスタ９６１，９６２は、形状及びサイズがほぼ同じであり、カレントミラー回路を構成している。また、ｐ形トランジスタ９６３，９６５は、形状及びサイズがほぼ同じであり、やはりカレントミラー回路を構成している。
【０００７】
電流駆動回路９０２，９５２は、それぞれｐ形トランジスタ９１４，９６５のドレイン電流を入力とし、表示パネル９４０に対し、各画素の階調データに応じた電流を出力する。図９においては簡略化して示しているが、電流駆動回路９０２，９５２は、通常、数百の出力端子を備えている。出力端子数は、表示パネルの画素数及び集積回路のパッケージに実装可能な端子数によって決定される。
【０００８】
次に、図９の電流駆動装置の動作を説明する。電流駆動装置９００内の基準電流源９１１が出力する基準電流Ｉ０に基づいて、ｐ形トランジスタ９１２〜９１４で構成されるカレントミラー回路は電流Ｉ１を生成し、電流駆動回路９０２に出力する。ｐ形トランジスタ９１２及び９１４の形状及びサイズが同じであるので、電流Ｉ１の大きさは基準電流Ｉ０に等しい。
【０００９】
電流駆動回路９０２には、各画素に対応した階調データが入力されており、電流駆動回路９０２は、電流Ｉ１に基づき、階調データに応じて重み付けされた電流を出力する。電流駆動回路９０２が出力した電流は、表示パネル９４０の走査線駆動回路９４２が選択したライン上の各発光素子に与えられ、各発光素子が発光する。
【００１０】
表示パネル９４０のサイズが比較的小さい場合は、集積回路９００のみに駆動させることが可能である。しかし、表示パネル９４０のサイズが大きくなって画素数が増大すると、集積回路９００等を複数用いて並列に動作させる必要がある。
【００１１】
この場合、各集積回路においてそれぞれ異なる電流源を用いると、発光素子の輝度が、接続された集積回路毎に異なり、表示むらが発生する恐れがある。製造時に生じる特性のばらつきが集積回路間にはあるので、各電流源が出力する基準電流の大きさが均一とはならないからである。
【００１２】
図９の従来の電流駆動装置では、表示むらを防止するために、第１の集積回路９００から第２の集積回路９５０に参照電流Ｉ２を供給している。図９において、ｐ形トランジスタ９１３は、伝送路９９１を介して第２の集積回路９５０に参照電流Ｉ２を出力する。第２の集積回路９５０において、ｎ形トランジスタ９６１のゲートとドレインとは接続されており、参照電流Ｉ２は、ｎ形トランジスタ９６１のドレインからソースに向かって流れる。
【００１３】
伝送路９９１は、配線抵抗を有している。第１及び第２の集積回路９００，９５０が例えばＣＯＧ（chip on glass）実装である場合には、パッドにおける接続抵抗も配線抵抗に含めて考えるものとする。
【００１４】
図１０（ａ）は、伝送路９９１に接続されたトランジスタ９１３，９６１の動作を示すグラフである。図１０（ａ）において、縦軸は、トランジスタ９１３，９６１を流れる参照電流Ｉ２を示している。また、横軸は、ｐ形トランジスタ９１３についてはこのトランジスタのドレインの電圧ＶＤ１、ｎ形トランジスタ９６１についてはこのトランジスタのドレインの電圧ＶＤ２を表している。
【００１５】
ｐ形トランジスタ９１３は、飽和領域で動作するように設計されているが、トランジスタのチャネル長変調効果の影響があるので、飽和電流は一定になるとは限らない。すなわち、飽和電流はドレイン電圧ＶＤ１が増加すると減少する。
【００１６】
伝送路９９１に配線抵抗がないとすると、電圧ＶＤ１とＶＤ２とは一致する。このとき、図１０（ａ）において、ｐ形トランジスタ９１３のグラフと、ｎ形トランジスタ９６１のグラフとの交点Ａが、これらの２つのトランジスタのドレイン電圧ＶＤ１，ＶＤ２及び参照電流Ｉ２の値を示している。この場合の参照電流Ｉ２の値は、基準電流Ｉ０に等しい。
【００１７】
次に、伝送路９９１の配線抵抗を考慮すると、配線抵抗で電圧降下が生じるので、ＶＤ１＞ＶＤ２となる。このとき、図１０（ａ）において、参照電流Ｉ２が減少し、ｐ形トランジスタ９１３の動作点は点Ａから点Ｂに移動する。すなわち、この場合、参照電流Ｉ２は基準電流Ｉ０よりも小さい。
【００１８】
図１０（ｂ）は、図９の回路における電流の大きさの関係を示す説明図である。第２の集積回路９５０に入力された参照電流Ｉ２に基づき、ｎ形トランジスタ９６１及び９６２で構成されるカレントミラー回路は電流Ｉ３を生成する。電流Ｉ３に基づいて、ｐ形トランジスタ９６３及び９６５で構成されるカレントミラー回路は電流Ｉ４を生成し、電流駆動回路９５２に出力する。このようにして参照電流Ｉ２に基づいて生成された電流Ｉ４は、電流駆動回路９０２に入力される電流Ｉ１よりも小さい。
【００１９】
このため、発光素子の輝度を同じにすべき場合であっても、電流Ｉ４に基づいて動作する電流駆動回路９５２が出力する電流は、電流Ｉ１に基づいて動作する電流駆動回路９０２が出力する電流よりも小さくなる。したがって、伝送路９９１の配線抵抗が無視できない場合には、図９の電流駆動装置においても、接続された集積回路毎に発光素子の輝度が異なり、表示むらがブロック状に発生する。
【００２０】
【発明が解決しようとする課題】
このように、従来の電流駆動装置では、集積回路間の伝送路の抵抗に起因して、基準電流の値を集積回路間で正確に伝達することができない。このため、複数の集積回路が表示パネルを駆動する場合、同じ階調データが与えられ、同じ輝度であるべき発光素子の間において、駆動する集積回路毎に輝度が異なり、表示むらがブロック状に発生するという問題があった。画素数が多く、多数の集積回路を必要とする場合には、集積回路間で伝達される基準電流の値の誤差が累積するため、更に大きな表示むらが発生するという問題があった。
【００２１】
本発明は、電流駆動型の発光素子を用いた表示装置の表示むらを低減することを課題とする。
【００２２】
【課題を解決するための手段】
前記課題を解決するため、請求項１の発明が講じた手段は、電流駆動装置として、第１の集積回路と、第２の集積回路とを備え、前記第１の集積回路は、基準電流に応じて参照電流を生成し、参照電流用伝送路を介して前記第２の集積回路に出力するカレントミラー回路と、前記第２の集積回路が出力する帰還電流に基づいて、電流駆動型の素子を駆動する電流を生成して出力する第１の電流駆動回路とを有するものであり、前記第２の集積回路は、前記参照電流に応じて前記帰還電流を生成し、帰還電流用伝送路を介して前記第１の集積回路に出力するとともに、前記参照電流に応じて駆動回路用電流を生成し、出力するカレントミラー部と、前記帰還電流用伝送路の抵抗値に等しい抵抗値を有する外部抵抗を介して、前記駆動回路用電流を入力とし、前記駆動回路用電流に基づいて、電流駆動型の素子を駆動する電流を生成して出力する第２の電流駆動回路とを有するものである。
【００２３】
請求項１の発明によると、第２の集積回路から第１の集積回路の第１の電流駆動回路へ電流を帰還させる帰還電流用伝送路の抵抗値と、第２の集積回路において第２の電流駆動回路に与える電流の経路の抵抗値とを等しくするので、第１及び第２の電流駆動回路に与える電流を等しくすることができる。このため、同じ輝度であるべき素子の間において、駆動する集積回路毎に輝度が異なり、表示むらが発生するのを防止することができる。
【００２４】
また、請求項２の発明は、電流駆動装置として、第１の集積回路と、第２の集積回路とを備え、前記第１の集積回路は、基準電流に応じて参照電流を生成し、参照電流用伝送路を介して前記第２の集積回路に出力するとともに、前記基準電流に等しい電流を生成して出力するカレントミラー回路と、前記カレントミラー回路が出力する、前記基準電流に等しい電流と、前記第２の集積回路が出力する帰還電流とを平均した大きさの平均電流を求めて出力する電流演算手段と、前記平均電流に基づいて、電流駆動型の素子を駆動する電流を生成して出力する第１の電流駆動回路とを有するものであり、前記第２の集積回路は、前記参照電流に応じて前記帰還電流を生成し、帰還電流用伝送路を介して前記第１の集積回路に出力するとともに、前記参照電流に応じて駆動回路用電流を生成し、出力するカレントミラー部と、前記駆動回路用電流に基づいて、電流駆動型の素子を駆動する電流を生成して出力する第２の電流駆動回路とを有するものである。
【００２５】
請求項２の発明によると、基準電流に等しい電流と、第２の集積回路から第１の集積回路への帰還電流との平均電流を求め、第１の集積回路の第１の電流駆動回路に与える。平均電流の大きさは、第２の電流駆動回路に与える電流に等しいので、第１及び第２の電流駆動回路に与える電流が等しくなり、表示むらが発生するのを防止することができる。
【００２６】
また、請求項３の発明は、電流駆動装置として、第１の集積回路と、第２の集積回路とを備え、前記第１の集積回路は、基準電流に応じて参照電流を生成し、参照電流用伝送路を介して前記第２の集積回路に出力するとともに、前記基準電流に等しい電流を生成して出力するカレントミラー回路と、前記カレントミラー回路が出力する、前記基準電流に等しい電流と、前記第２の集積回路が出力する帰還電流とを平均した大きさの平均電流を求めて出力するとともに、その入力における電圧を一定に保つ定電圧電流演算手段と、前記平均電流に基づいて、電流駆動型の素子を駆動する電流を生成して出力する電流駆動回路とを有するものであり、前記第２の集積回路は、前記参照電流に応じて前記帰還電流を生成し、帰還電流用伝送路を介して前記第１の集積回路に出力するとともに、前記参照電流に応じて駆動回路用電流を生成し、出力するカレントミラー部と、前記駆動回路用電流に基づいて、電流駆動型の素子を駆動する電流を生成して出力する電流駆動回路とを有するものである。
【００２７】
請求項３の発明によると、定電圧電流演算手段の入力における電圧を一定に保つので、平均電流を正確に求めることができ、表示むらが非常に生じにくくなる。
【００２８】
また、請求項４の発明は、電流駆動装置として、第１、第２及び第３の集積回路を備え、前記第１の集積回路は、基準電流に応じて第１の参照電流を生成し、第１の参照電流用伝送路を介して前記第２の集積回路に出力するとともに、前記基準電流に等しい電流を生成して出力する第１のカレントミラー部と、前記第２の集積回路が出力する第１の帰還電流に等しい電流を生成して出力する第２のカレントミラー部と、前記基準電流に等しい電流と前記第１の帰還電流に等しい電流とを平均した大きさの第１の平均電流を求めて出力する第１の電流演算手段と、前記第１の平均電流に基づいて、電流駆動型の素子を駆動する電流を生成して出力する第１の電流駆動回路とを有するものであり、前記第２の集積回路は、前記第１の参照電流に応じて第２の参照電流を生成し、第２の参照電流用伝送路を介して第３の集積回路に出力するとともに、前記第１の参照電流に等しい電流を生成して出力する第３のカレントミラー部と、前記第３の集積回路が出力する第２の帰還電流に応じて前記第１の帰還電流を生成し、第１の帰還電流用伝送路を介して前記第１の集積回路に出力するとともに、前記第２の帰還電流に等しい電流を生成して出力する第４のカレントミラー部と、前記第１の参照電流に等しい電流と前記第２の帰還電流に等しい電流とを平均した大きさの第２の平均電流を求めて出力する第２の電流演算手段と、前記第２の平均電流に基づいて、電流駆動型の素子を駆動する電流を生成して出力する第２の電流駆動回路とを有するものであり、前記第３の集積回路は、前記第２の参照電流に応じて第３の参照電流を生成するとともに、前記第２の参照電流に等しい電流を生成して出力する第５のカレントミラー部と、前記第３の参照電流に応じて前記第２の帰還電流を生成し、第２の帰還電流用伝送路を介して前記第２の集積回路に出力するとともに、前記第３の参照電流に等しい電流を生成して出力する第６のカレントミラー部と、前記第２の参照電流に等しい電流と前記第３の参照電流に等しい電流とを平均した大きさの第３の平均電流を求めて出力する第３の電流演算手段と、前記第３の平均電流に基づいて、電流駆動型の素子を駆動する電流を生成して出力する第３の電流駆動回路とを有するものである。
【００２９】
請求項４の発明によると、３個以上の集積回路を用いた場合にも、各集積回路における電流駆動回路に与える電流を等しくすることができる。したがって、画素数が多い、大きな画面を用いた表示装置においても、表示むらを防ぐことができる。
【００３０】
【発明の実施の形態】
以下、本発明の実施の形態について、図面を参照しながら説明する。
【００３１】
（第１の実施形態）
図１は、本発明の第１の実施形態に係る電流駆動装置を備えた表示装置の構成の例を示す回路図である。図１の電流駆動装置は、第１の集積回路１００と、第２の集積回路１５０とを備えている。図１の表示装置は、この電流駆動装置に加えて、表示パネル１４０と、走査線駆動回路１４２とを備えている。
【００３２】
第１の集積回路１００は、第１の電流駆動回路１０２と、カレントミラー回路１１０と、基準電流源１１１とを備えている。第２の集積回路１５０は、第２の電流駆動回路１５２と、カレントミラー部１６０とを備えている。カレントミラー回路１１０は、ｐ形トランジスタ１１２，１１３を備えている。カレントミラー部１６０は、ｎ形トランジスタ１６１，１６２と、ｐ形トランジスタ１６３，１６４，１６５とを備えている。
【００３３】
表示パネル１４０には、発光素子がマトリクス状に配置されている。発光素子は、例えば有機ＥＬ素子である。各発光素子は、表示パネル１４０の画素を形成している。
【００３４】
電流駆動回路１０２には、表示パネル１４０の各画素に対応した階調データ、及び第２の集積回路１５０が出力する帰還電流Ｉ５が入力されている。電流駆動回路１０２は、これに接続された１ライン分の発光素子毎に、階調データに応じて重み付けされた電流を、帰還電流Ｉ５を基準として求め、出力する。
【００３５】
電流駆動回路１５２には、表示パネル１４０の各画素に対応した階調データ、及び駆動回路用電流Ｉ６が入力されている。電流駆動回路１５２は、これに接続された１ライン分の発光素子毎に、階調データに応じて重み付けされた電流を、電流Ｉ６を基準として求め、出力する。
【００３６】
表示パネル１４０は、線順次と呼ばれる表示駆動方式を用いて駆動されている。すなわち、走査線駆動回路１４２は、通常、上端のラインから下端のラインの順でラインを駆動している。図１の表示パネル１４０の場合、非表示ラインの電位は電源レベルとなっている。走査線駆動回路１４２は、表示を行うラインの電位を低下させて、ラインの選択を行う。
【００３７】
走査線駆動回路１４２がラインを選択すると、電流駆動回路１０２，１５２は、そのラインの各画素に対して、階調データに応じた電流を各端子から出力する。選択されたライン上の各発光素子に順方向に電流が流れ、流れる電流の大きさに応じて発光素子の輝度が変動する。１ラインの表示が一定期間行われると、走査線駆動回路１４２は次のラインを選択し、電流駆動装置１０２，１５２は、そのラインの各画素の階調データに応じて電流を出力する。以下、同様に１ラインずつ表示を行い、１フレームの表示が完了すると、再度上端のラインから表示を開始するという動作が繰り返し行われる。
【００３８】
基準電流源１１１は、一端がｐ形トランジスタ１１２のドレインに接続され、他端が接地されている。ｐ形トランジスタ１１２のソースは電源に、ゲートはｐ形トランジスタ１１３のゲートに接続されている。ｐ形トランジスタ１１３のソースは電源に、ドレインは参照電流用伝送路１９１を介してｎ形トランジスタ１６１のドレインに接続されている。ｐ形トランジスタ１１２のゲートとドレインとは接続されている。ｐ形トランジスタ１１２及び１１３は形状及びサイズがほぼ同じである。このように、ｐ形トランジスタ１１２及び１１３は、カレントミラー回路１１０を構成している。基準電流源１１１は、基準電流Ｉ０をｐ形トランジスタ１１２のソースとドレインとの間に流す。
【００３９】
カレントミラー部１６０において、ｎ形トランジスタ１６１及び１６２のソースは接地され、ｎ形トランジスタ１６１のゲートはｎ形トランジスタ１６２のゲートに接続され、ｎ形トランジスタ１６２のドレインはｐ形トランジスタ１６３のドレインに接続されている。ｎ形トランジスタ１６１のゲートとドレインとは接続されており、ｎ形トランジスタ１６１及び１６２は、カレントミラー回路を構成している。
【００４０】
ｐ形トランジスタ１６３〜１６５のソースは電源に接続され、ｐ形トランジスタ１６３のゲートはｐ形トランジスタ１６４，１６５のゲートに接続されている。ｐ形トランジスタ１６４のドレインは帰還電流用伝送路１９２を介して電流駆動回路１０２に接続されている。ｐ形トランジスタ１６５のドレインは、外部抵抗としての伝送路１９３，１９４を介して電流駆動回路１５２に接続されている。ｐ形トランジスタ１６３のゲートとドレインとは接続されており、ｐ形トランジスタ１６３〜１６５は、カレントミラー回路を構成している。ここで、ｎ形トランジスタ１６１及び１６２は形状及びサイズがほぼ同じであり、ｐ形トランジスタ１６３〜１６５は形状及びサイズがほぼ同じである。
【００４１】
以上のような回路において、ｐ形トランジスタ１１２及び１１３で構成されるカレントミラー回路１１０は、基準電流Ｉ０に応じて参照電流Ｉ２を生成し、参照電流用伝送路１９１を介して第２の集積回路１５０のｎ形トランジスタ１６１に出力する。このとき、図１０（ａ）を参照して説明したように、参照電流Ｉ２の大きさは、参照電流用伝送路１９１の抵抗の影響を受け、基準電流Ｉ０よりも小さい。
【００４２】
ｎ形トランジスタ１６２は、参照電流Ｉ２にほぼ等しい電流Ｉ３をｎ形トランジスタ１６２のドレインから流出させる。ｐ形トランジスタ１６４は、電流Ｉ３に応じて帰還電流Ｉ５を生成し、電流駆動回路１０２に出力する。ｐ形トランジスタ１６５は、電流Ｉ３に応じて駆動回路用電流Ｉ６を生成し、伝送路１９３，１９４を介して電流駆動回路１５２に出力する。
【００４３】
ここで、帰還電流用伝送路１９２は、参照電流用伝送路１９１と同一配線基板上にあり、長さ及び幅が参照電流用伝送路１９１と同一の配線であるとすれば、帰還電流用伝送路１９２と参照電流用伝送路１９１とは、抵抗値がほぼ同一である。この場合、ΔＩ＝Ｉ０−Ｉ２とすると、帰還電流用伝送路１９２の抵抗に起因して、帰還電流Ｉ５は参照電流Ｉ２よりもΔＩだけ小さくなるので、Ｉ５＝Ｉ０−２ΔＩとなる。電流駆動回路１０２は、この帰還電流Ｉ５に基づいて動作する。
【００４４】
一方、後段の第２の集積回路１５０では、電流駆動回路１５２は、電流Ｉ６に基づいて動作する。もしｐ形トランジスタ１６５のドレイン電流をそのまま電流駆動回路１５２に入力することとすると、参照電流Ｉ２にほぼ等しい電流が電流駆動回路１５２に与えられる。すると、電流駆動回路１５２が出力する電流の方が、電流駆動回路１０２が出力する電流よりも大きくなり、表示パネルに表示むらが発生する。
【００４５】
そこで、ｐ形トランジスタ１６５のドレインを、伝送路１９３，１９４を介して電流駆動回路１５２に接続するようにしている。ここで、伝送路１９３及び１９４の抵抗の値の和は、帰還電流用伝送路１９２の抵抗値にほぼ等しくなるようにする。例えば伝送路１９３及び１９４の抵抗値を、ともに帰還電流用伝送路１９２の抵抗値の１／２となるようにすればよい。
【００４６】
すると、ｐ形トランジスタ１６５と電流駆動回路１５２との間の抵抗値が、ｐ形トランジスタ１６４と電流駆動回路１０２との間の抵抗値にほぼ等しくなるので、電流駆動回路１５２に与えられる電流Ｉ６と、電流駆動回路１０２に与えられる帰還電流Ｉ５とがほぼ等しくなる。したがって、表示パネルに表示むらが生じるのを防ぐことができる。
【００４７】
図２は、図１の電流駆動装置における各電流の大きさを示す説明図である。電流駆動回路１５２に与えられる電流Ｉ６は、伝送路１９３，１９４を経由するので、参照電流Ｉ２にではなく、帰還電流Ｉ５にほぼ等しい値となる。
【００４８】
なお、伝送路１９３及び１９４に代えて、帰還電流用伝送路１９２にほぼ等しい抵抗値を有する抵抗を外部抵抗として用いてもよい。
【００４９】
また、第１の集積回路１００が、基準電流源１１１を備えず、第１の集積回路１００の外部の基準電流源との間で基準電流を入出力するようにしてもよい。この場合、ｐ形トランジスタ１１２及び１１３で構成されるカレントミラー回路１１０が、基準電流に応じて参照電流を出力するように構成すればよい。
【００５０】
（第２の実施形態）
図３（ａ）は、本発明の第２の実施形態に係る電流駆動装置の構成の例を示す回路図である。図３（ａ）の電流駆動装置は、第１の集積回路２００と、第２の集積回路２５０とを備えている。第１の集積回路２００は、図１の第１の集積回路１００において、カレントミラー回路１１０に代えてカレントミラー回路２１０を備え、電流演算手段２３０を更に備えたものである。第２の集積回路２５０は、ｐ形トランジスタ１６５のドレイン電流が直接、第２の電流駆動回路１５２に入力されている点の他は、図１の第２の集積回路１５０と同様である。図１の電流駆動装置と同一の構成要素には、同一の参照番号を付してその説明を省略する。
【００５１】
図３（ａ）において、カレントミラー回路２１０は、カレントミラー回路１１０においてｐ形トランジスタ１１４を更に備えたものである。ｐ形トランジスタ１１４のソースは電源に、ゲートはｐ形トランジスタ１１２のゲートに接続されている。ｐ形トランジスタ１１４は、ドレイン電流Ｉ１を電流演算手段２３０に出力している。ｐ形トランジスタ１１２及び１１４の形状及びサイズはほぼ同じである。このように、ｐ形トランジスタ１１２〜１１４はカレントミラー回路２１０を構成しているので、電流Ｉ１は基準電流Ｉ０にほぼ等しい。
【００５２】
ｐ形トランジスタ１６４は、ドレインから帰還電流Ｉ７を出力し、これを帰還電流用伝送路１９２を経由して電流演算手段２３０に与える。ｐ形トランジスタ１６５は、ドレインから駆動回路用電流Ｉ４を出力し、電流駆動回路１５２に直接与える。電流演算手段２３０は、入力された電流Ｉ１と帰還電流Ｉ７とを平均した大きさの平均電流Ｉ８を求め、第１の電流駆動回路１０２に出力する。
【００５３】
参照電流用伝送路１９１の抵抗の影響を受けるので、参照電流Ｉ２及び電流Ｉ３は基準電流Ｉ０よりもΔＩだけ小さい。また、帰還電流用伝送路１９２の抵抗の影響を受けるので、ｐ形トランジスタ１６４が出力する帰還電流Ｉ７は、電流Ｉ３よりも更にΔＩだけ小さい。電流Ｉ４の値は、参照電流Ｉ２及び電流Ｉ３にほぼ等しい。
【００５４】
図３（ｂ）は、図３（ａ）の電流駆動装置における各電流の大きさの関係を示す説明図である。電流駆動回路１０２に与えられる平均電流Ｉ８は、電流Ｉ１と帰還電流Ｉ７とを平均した値であり、これは参照電流Ｉ２にほぼ等しい。また、電流駆動回路１５２に与えられる電流Ｉ４は、参照電流Ｉ２にほぼ等しい。
【００５５】
このように、電流駆動回路１０２に与えられる平均電流Ｉ８と、電流駆動回路１５２に与えられる電流Ｉ４とが等しくなるので、表示パネルの輝度が、発光素子を駆動する集積回路の間でばらつくことを防ぐことができる。
【００５６】
図４は、図３（ａ）の電流演算手段２３０の具体的な例を示した回路図である。図４において、電流演算手段２３０は、ｎ形トランジスタ２３１，２３２と、ｐ形トランジスタ２３３，２３４とを備えている。
【００５７】
ｎ形トランジスタ２３１は、ゲートとドレインとが接続され、ソースが接地されており、アクティブ抵抗素子として動作する。ｎ形トランジスタ２３１のドレインには、電流Ｉ１及び帰還電流Ｉ７が入力され、このトランジスタのドレインとソースとの間には、電流Ｉ１と帰還電流Ｉ７とを加算した電流が流れる。ｎ形トランジスタ２３２のゲートはｎ形トランジスタ２３１のゲートに接続され、ｎ形トランジスタ２３２のソースは接地されている。ｎ形トランジスタ２３１及び２３２は、カレントミラー回路を構成している。
【００５８】
ｐ形トランジスタ２３３及び２３４のソースは電源に接続され、ｐ形トランジスタ２３３のゲートはｐ形トランジスタ２３４のゲートに接続され、ｐ形トランジスタ２３３のドレインはｎ形トランジスタ２３２のドレインに接続されている。ｐ形トランジスタ２３３のゲートとドレインとは接続されており、ｐ形トランジスタ２３３及び２３４は、カレントミラー回路を構成している。
【００５９】
ｎ形トランジスタ２３１のＷ／Ｌ（トランジスタのチャネル幅Ｗとチャネル長Ｌとの比）と、ｎ形トランジスタ２３２のＷ／Ｌとは、２：１の関係がある。このため、ｎ形トランジスタ２３１及び２３２が構成するカレントミラー回路は、電流Ｉ１と帰還電流Ｉ７とを加算した電流の１／２の大きさの電流、すなわち、電流Ｉ１と帰還電流Ｉ７とを平均した電流を、ｎ形トランジスタ２３２のドレインとソースとの間に流れさせる。また、ｐ形トランジスタ２３３及び２３４の形状及びサイズはほぼ同じである。このため、ｐ形トランジスタ２３３及び２３４が構成するカレントミラー回路が、ｎ形トランジスタ２３２のドレイン電流とほぼ同じ大きさの平均電流Ｉ８を電流駆動回路１０２に出力する。
【００６０】
このように、図４の電流演算手段２３０によると、電流Ｉ１と帰還電流Ｉ７とを平均した平均電流Ｉ８を出力することができる。
【００６１】
（第３の実施形態）
図５は、本発明の第３の実施形態に係る電流駆動装置の構成の例を示す回路図である。図５の電流駆動装置は、第１の集積回路４００と、第２の集積回路２５０とを備えている。第１の集積回路４００は、図３（ａ）の第１の集積回路２００において、電流演算手段２３０に代えて定電圧電流演算手段４３０を備えたものである。図３（ａ）の電流駆動装置と同一の構成要素には、同一の参照番号を付してその説明を省略する。
【００６２】
定電圧電流演算手段４３０は、電流Ｉ１と、帰還電流Ｉ７とを平均した大きさの平均電流Ｉ１０を求め、第１の電流駆動回路１０２に出力する。ただし、定電圧電流演算手段４３０は、その入力における電圧をほぼ一定に保つようになっている。
【００６３】
図４の電流演算手段２３０においては、第１の集積回路２００内の電流Ｉ１と、第２の集積回路からの帰還電流Ｉ７とを加算する際、アクティブ抵抗素子として動作するｎ形トランジスタ２３１には、電圧降下が生じる。この電圧降下の大きさは、流れる電流の量によって変動する。このため、ｐ形トランジスタ１１４，１６４のドレイン電圧が変動し、その影響を受けて、電流Ｉ１や帰還電流Ｉ７の大きさが変動することがある。
【００６４】
そこで、定電圧電流演算手段４３０は、電流が入力される端子の電圧を一定値に保持するようにする。すると、電流を加算することによってｐ形トランジスタ１１４，１６４のドレイン電圧が大きく変動することを抑えることができるため、平均電流を求める際の誤差を減少させることができる。
【００６５】
図６は、図５の定電圧電流演算手段４３０の具体的な例を示した回路図である。図６において、定電圧電流演算手段４３０は、差動増幅回路４３５と、抵抗４３６と、基準電圧源４３７と、反転増幅器４３８と、ｎ形トランジスタ４４２と、ｐ形トランジスタ４４３，４４４とを備えている。
【００６６】
差動増幅回路４３５の反転入力端子には、ｐ形トランジスタ１１４のドレインと、ｐ形トランジスタ１６４のドレインとが接続されている。抵抗４３６は、差動増幅回路４３５の反転入力端子と出力端子との間に接続されている。差動増幅回路４３５の非反転入力端子には、基準電圧源４３７の一端が接続されている。基準電圧源４３７の他端は接地されている。差動増幅回路４３５の出力端子は、反転増幅器４３８を介してｎ形トランジスタ４４２のゲートに接続されている。
【００６７】
ｎ形トランジスタ４４２のソースは接地され、ドレインはｐ形トランジスタ４４３のドレインに接続されている。ｐ形トランジスタ４４３及び４４４のソースは電源に接続され、ｐ形トランジスタ４４３のゲートはｐ形トランジスタ４４４のゲートに接続されている。ｐ形トランジスタ４４３のゲートとドレインとは接続されており、ｐ形トランジスタ４４３及び４４４は、カレントミラー回路を構成している。
【００６８】
差動増幅回路４３５は、例えば演算増幅器であって、抵抗４３６を介して負帰還されている。このため、反転入力端子と非反転入力端子との間はイマジナリーショートとなっていて、両端子は同一電位となる。したがって、反転入力端子も基準電圧源の電圧に等しくなっている。
【００６９】
定電圧電流演算手段４３０へ入力される電流Ｉ１と帰還電流Ｉ７とは、ともに抵抗４３６を流れる。これらの電流を加算した電流をＩ９とし、基準電圧源４３７が出力する電圧をＶＰ、抵抗４３６の抵抗値をＲＦとすると、差動増幅回路４３５の出力電圧ＶＯは、ＶＰ−Ｉ９×ＲＦとなる。反転増幅器４３８は、この出力電圧ＶＯを反転した電圧Ｉ９×ＲＦ＋ＶＫを出力するので（電圧ＶＫは一定の値）、抵抗値ＲＦ、電圧ＶＫが適切な値となるようにすれば、ｎ形トランジスタ４４２には、電流Ｉ９にほぼ等しいドレイン電流が流れる。
【００７０】
ｐ形トランジスタ４４３のＷ／Ｌと、ｐ形トランジスタ４４４のＷ／Ｌとは、２：１の関係がある。このため、ｐ形トランジスタ４４３及び４４４が構成するカレントミラー回路は、ｎ形トランジスタ４４２のドレイン電流の１／２の大きさの電流Ｉ１０を電流駆動回路１０２に出力する。電流Ｉ１０は、電流Ｉ１と帰還電流Ｉ７との平均電流となっている。
【００７１】
このように、図６の定電圧電流演算手段４３０を用いると、差動増幅回路４３５の反転入力端子の端子電圧は一定値に保持されているので、ｐ形トランジスタ１１４，１６４のドレイン電圧が大きく変動しないようにすることができる。このため、より正確に平均電流Ｉ１０を求めることができる。
【００７２】
（第４の実施形態）
第１〜第３の実施形態においては、２個の集積回路を備えた電流駆動装置について説明したが、第４の実施形態においては、カスケード接続された３個の集積回路を備えた電流駆動装置について説明する。
【００７３】
図７は、本発明の第４の実施形態に係る電流駆動装置の構成の例を示す回路図である。図７の電流駆動装置は、第１の集積回路６００と、第２の集積回路６３０と、第３の集積回路６６０とを備えている。第１〜第３の集積回路６００，６３０，６６０は、いずれも同様に構成されている。
【００７４】
第１の集積回路６００は、第１の電流駆動回路６０２と、第１の電流演算手段６０４と、第１のカレントミラー部６１０と、第２のカレントミラー部６２０とを備えている。第２の集積回路６３０は、第２の電流駆動回路６３２と、第２の電流演算手段６３４と、第３のカレントミラー部６４０と、第４のカレントミラー部６５０とを備えている。第３の集積回路６６０は、第３の電流駆動回路６６２と、第３の電流演算手段６６４と、第５のカレントミラー部６７０と、第６のカレントミラー部６８０とを備えている。
【００７５】
第１のカレントミラー部６１０は、ｎ形トランジスタ６１１，６１２と、ｐ形トランジスタ６１３，６１４，６１５とを備えている。第１のカレントミラー部６１０内のｎ形トランジスタ６１１のドレインには、基準電流源６０８から基準電流Ｉ２０が入力されている。第１のカレントミラー部６１０の構成は、図１のカレントミラー部１６０と同様のものである。
【００７６】
すなわち、ｎ形トランジスタ６１１及び６１２のソースは接地され、ｎ形トランジスタ６１１のゲートはｎ形トランジスタ６１２のゲートに接続され、ｎ形トランジスタ６１２のドレインはｐ形トランジスタ６１３のドレインに接続されている。ｎ形トランジスタ６１１のゲートとドレインとは接続されており、ｎ形トランジスタ６１１及び６１２は、カレントミラー回路を構成している。
【００７７】
ｐ形トランジスタ６１３〜６１５のソースは電源に接続され、ｐ形トランジスタ６１３のゲートはｐ形トランジスタ６１４，６１５のゲートに接続されている。ｐ形トランジスタ６１４のドレインは第１の参照電流用伝送路６９１を介して第３のカレントミラー回路６４０に接続されている。ｐ形トランジスタ６１５のドレインは、電流演算手段６０４に接続されている。ｐ形トランジスタ６１３のゲートとドレインとは接続されており、ｐ形トランジスタ６１３〜６１５は、カレントミラー回路を構成している。ここで、ｎ形トランジスタ６１１及び６１２は形状及びサイズがほぼ同じであり、ｐ形トランジスタ６１３〜６１５は形状及びサイズがほぼ同じである。
【００７８】
第１のカレントミラー部６１０は、基準電流Ｉ２０に応じて第１の参照電流Ｉ２１を生成し、第１の参照電流用伝送路６９１を介して第２の集積回路６３０の第３のカレントミラー部６４０に出力する。また、第１のカレントミラー部６１０は、基準電流Ｉ２０にほぼ等しい電流Ｉ３１を生成して、第１の電流演算手段６０４に出力する。
【００７９】
第２のカレントミラー部６２０の内部の構成は、第１のカレントミラー部６１０と同様であるので、詳細な説明は省略する。第２のカレントミラー部６２０は、第２の集積回路６３０の第４のカレントミラー部６５０が出力する第１の帰還電流Ｉ２５にほぼ等しい電流Ｉ３２を生成して、第１の電流演算手段６０４に出力する。
【００８０】
第１の電流演算手段６０４は、例えば図４の電流演算手段２３０と同様のものであり、電流Ｉ３１と電流Ｉ３２とを平均した大きさの第１の平均電流Ｉ４１を求めて、第１の電流駆動回路６０２に出力する。第１の電流駆動回路６０２は、図１の電流駆動回路１０２と同様のものである。第１の電流駆動回路６０２は、第１の平均電流Ｉ４１及び表示パネル１４０の各画素に対応した階調データに基づいて、表示パネル１４０の電流駆動型の発光素子を駆動する電流を生成して出力する。
【００８１】
第２の集積回路６３０において、第３及び第４のカレントミラー部６４０，６５０の内部の構成は、それぞれ第１及び第２のカレントミラー部６１０，６２０と同様であるので、詳細な説明は省略する。
【００８２】
第３のカレントミラー部６４０は、第１の参照電流Ｉ２１に応じて第２の参照電流Ｉ２２を生成し、第２の参照電流用伝送路６９３を介して第３の集積回路６６０の第５のカレントミラー部６７０に出力する。また、第３のカレントミラー部６４０は、第１の参照電流Ｉ２１にほぼ等しい電流Ｉ３３を生成して、第２の電流演算手段６３４に出力する。
【００８３】
第４のカレントミラー部６５０は、第３の集積回路６６０の第６のカレントミラー部６８０が出力する第２の帰還電流Ｉ２４に応じて第１の帰還電流Ｉ２５を生成し、第１の帰還電流用伝送路６９２を介して第１の集積回路６００の第２のカレントミラー部６２０に出力する。また、第４のカレントミラー部６５０は、第２の帰還電流Ｉ２４にほぼ等しい電流Ｉ３４を生成して、第２の電流演算手段６３４に出力する。
【００８４】
第２の電流演算手段６３４は、例えば図４の電流演算手段２３０と同様のものであり、電流Ｉ３３と電流Ｉ３４とを平均した大きさの第２の平均電流Ｉ４２を求めて、第２の電流駆動回路６３２に出力する。第２の電流駆動回路６３２は、図１の電流駆動回路１０２と同様のものである。第２の電流駆動回路６３２は、第２の平均電流Ｉ４２及び表示パネル１４０の各画素に対応した階調データに基づいて、表示パネル１４０の電流駆動型の発光素子を駆動する電流を生成して出力する。
【００８５】
第３の集積回路６６０において、第５及び第６のカレントミラー部６７０，６８０の内部の構成は、それぞれ第１及び第２のカレントミラー部６１０，６２０と同様であるので、詳細な説明は省略する。
【００８６】
第５のカレントミラー部６７０は、第２の参照電流Ｉ２２に応じて第３の参照電流Ｉ２３を生成し、第６のカレントミラー部６８０に出力する。また、第５のカレントミラー部６７０は、第２の参照電流Ｉ２２にほぼ等しい電流Ｉ３５を生成して、第３の電流演算手段６６４に出力する。
【００８７】
第６のカレントミラー部６８０は、第３の参照電流Ｉ２３に応じて第２の帰還電流Ｉ２４を生成し、第２の帰還電流用伝送路６９４を介して第２の集積回路６３０の第４のカレントミラー部６５０に出力する。また、第６のカレントミラー部６８０は、第３の参照電流Ｉ２３にほぼ等しい電流Ｉ３６を生成して、第３の電流演算手段６６４に出力する。
【００８８】
第３の電流演算手段６６４は、例えば図４の電流演算手段２３０と同様のものであり、電流Ｉ３５と電流Ｉ３６とを平均した大きさの第３の平均電流Ｉ４３を求めて、第３の電流駆動回路６６２に出力する。第３の電流駆動回路６６２は、図１の電流駆動回路１０２と同様のものである。第３の電流駆動回路６６２は、第３の平均電流Ｉ４３及び表示パネル１４０の各画素に対応した階調データに基づいて、表示パネル１４０の電流駆動型の発光素子を駆動する電流を生成して出力する。
【００８９】
図８は、図７の電流駆動装置における各電流の大きさの関係を示す説明図である。図１の電流駆動装置と同様に、第１の参照電流用伝送路６９１の抵抗の影響を受けるので、第１の参照電流Ｉ２１の大きさは、基準電流Ｉ２０よりも小さい。同様に、第２の参照電流用伝送路６９３の抵抗の影響を受けるので、第２の参照電流Ｉ２２の大きさは、第１の参照電流Ｉ２１よりも小さい。
【００９０】
第３の参照電流Ｉ２３は、伝送路を介することなく、第５のカレントミラー部６７０から第６のカレントミラー部６８０に入力されているので、その大きさは第２の参照電流Ｉ２２に等しい。したがって、第３の平均電流Ｉ４３は、
0004009077.tif 000002
となる。
【００９１】
第２の帰還電流用伝送路６９４の抵抗の影響を受けるので、第２の帰還電流Ｉ２４の大きさは、第３の参照電流Ｉ２３よりも小さい。同様に、第１の帰還電流用伝送路６９２の抵抗の影響を受けるので、第１の帰還電流Ｉ２５の大きさは、第２の帰還電流Ｉ２４よりも小さい。ここで、ｄ１＝Ｉ２０−Ｉ２１、ｄ２＝Ｉ２１−Ｉ２２、ｄ３＝Ｉ２３−Ｉ２４、ｄ４＝Ｉ２４−Ｉ２５とする。
【００９２】
第２の参照電流用伝送路６９３と、第２の帰還電流用伝送路６９４との抵抗値が等しいとすると、これらの伝送路の抵抗の影響は等しいので、ｄ２＝ｄ３が成り立つ。したがって、第２の平均電流Ｉ４２は、
0004009077.tif 000003
となる。
【００９３】
また、第１の参照電流用伝送路６９１と、第１の帰還電流用伝送路６９２との抵抗値が等しいとすると、これらの伝送路の抵抗の影響は等しいので、ｄ１＝ｄ４が成り立つ。したがって、第１の平均電流Ｉ４１は、
0004009077.tif 000004
となる。
【００９４】
このように、Ｉ４１＝Ｉ４２＝Ｉ４３が成り立つので、第１〜第３の電流駆動回路６０２，６３２，６６２に入力される電流の大きさは等しい。このため、階調データが同一であれば、第１〜第３の集積回路６００，６３０，６６０のいずれが駆動しても発光素子の輝度に差は生じないので、表示パネル１４０に表示むらが生じない。
【００９５】
なお、本実施形態では、３個の集積回路を接続した場合について説明したが、同様に、３個よりも多くの集積回路をカスケード接続してもよい。このように、本実施形態によると、多数の集積回路を用いることが容易にできるので、表示むらを生じさせることなく、大型の表示パネルを駆動することができる。
【００９６】
また、以上の実施形態において、表示パネルの発光素子は、電流駆動型のものであればよく、例えば発光ダイオードであってもよい。
【００９７】
【発明の効果】
以上のように本発明によると、電流駆動型の発光素子を用いた表示装置の表示むらを低減することができる。
【図面の簡単な説明】
【図１】本発明の第１の実施形態に係る電流駆動装置を備えた表示装置の構成の例を示す回路図である。
【図２】図１の電流駆動装置における各電流の大きさを示す説明図である。
【図３】（ａ）本発明の第２の実施形態に係る電流駆動装置の構成の例を示す回路図である。
（ｂ）図３（ａ）の電流駆動装置における各電流の大きさの関係を示す説明図である。
【図４】図３（ａ）の電流演算手段の具体的な例を示した回路図である。
【図５】本発明の第３の実施形態に係る電流駆動装置の構成の例を示す回路図である。
【図６】図５の定電圧電流演算手段の具体的な例を示した回路図である。
【図７】本発明の第４の実施形態に係る電流駆動装置の構成の例を示す回路図である。
【図８】図７の電流駆動装置における各電流の大きさの関係を示す説明図である。
【図９】従来の電流駆動装置を備えた表示装置の構成の例を示す回路図である。
【図１０】（ａ）伝送路に接続されたトランジスタの動作を示すグラフである。
（ｂ）図９の回路における電流の大きさの関係を示す説明図である。
【符号の説明】
１００，２００，４００，６００  第１の集積回路
１０２，６０２  第１の電流駆動回路
１１０，２１０  カレントミラー回路
１１１，６０８  基準電流源
１５０，２５０，６３０  第２の集積回路
１５２，６３２  第２の電流駆動回路
１６０  カレントミラー部
１９１  参照電流用伝送路
１９２  帰還電流用伝送路
１９３，１９４  伝送路（外部抵抗）
２３０  電流演算手段
４３０  定電圧電流演算手段
６０４  第１の電流演算手段
６１０  第１のカレントミラー部
６２０  第２のカレントミラー部
６３４  第２の電流演算手段
６４０  第３のカレントミラー部
６５０  第４のカレントミラー部
６６０  第３の集積回路
６６２  第３の電流駆動回路
６６４  第３の電流演算手段
６７０  第５のカレントミラー部
６８０  第６のカレントミラー部
６９１  第１の参照電流用伝送路
６９２  第１の帰還電流用伝送路
６９３  第２の参照電流用伝送路
６９４  第２の帰還電流用伝送路
【図１】
0004009077.tif 000005
【図２】
0004009077.tif 000006
【図３】
0004009077.tif 000007
【図４】
0004009077.tif 000008
【図５】
0004009077.tif 000009
【図６】
0004009077.tif 000010
【図７】
0004009077.tif 000011
【図８】
0004009077.tif 000012
【図９】
0004009077.tif 000013
【図１０】
0004009077.tif 000014